(57)【特許請求の範囲】
【請求項１】
室外ユニットと、前記室外ユニット及び前記室外ユニットに接続された室内ユニットの間の情報を伝達する伝送手段と、前記室内ユニットの少なくともひとつに接続され運転内容の設定を行う運転指令手段と、前記室外ユニットに設けられ、接続された前記室内ユニットの持つ設備機能情報を収集し、前記室内機の設備機能情報から、接続された全室内ユニットの運転設定可能な運転内容を決定し、前記伝送手段を介して前記各室内ユニットへ決定した運転内容を伝達する制御手段と、前記室内ユニットまたは前記運転指令手段の少なくとも一方に設けられ、前記制御手段から伝達された運転設定可能な運転内容を特定の室内ユニットの設備機能情報に限定されることなく前記室内ユニットまたは前記運転指令手段の操作可能な運転内容に自動設定する操作機能設定手段と、を備えたことを特徴とする空調機。
【発明の詳細な説明】
【０００１】
【発明の属する技術分野】
この発明は、１台の室外ユニットで複数台の室内ユニットを同一運転或いは  同時運転可能な空調機に関する。
【０００２】
また、この発明は空調機において、室外ユニットに接続される室外ユニットの接続台数、室内ユニット毎に設定するユニットの識別番号、特に室外ユニット、室内ユニット間の識別番号の自動設定に関する。
【０００３】
【従来の技術】
従来のこの種の空調機として、例えば、特開平１−２０８６４７号公報に掲載の技術を挙げることができる。
図３８特開平１−２０８６４７号公報掲載の従来の空調機の模式図である。
図３８において、９１はリモコンスイッチ、９２，１００，１０１は室内機、９３は室外機、９４は室内制御装置、９５は室外制御装置、９６はリモコン−室内伝送線、９７は室内−室外伝送線、９８，９９は室内機間伝送線である。
【０００４】
上記のように構成された従来の空調機では、リモコン９１からの操作入力は、リモコン−室内伝送線９６を通して室内機９２の制御装置９４に入力されると、同時に室内機間伝送線９８を通して他の室内機１００及び１０１の制御装置へ送信される。室外機への伝送は、室内制御装置上のディップスイッチにより設定された順に室内−室外伝送線９７及び室内機間伝送線９９を通して室外機９３の制御装置９５と通信を行う。室外機９３の制御装置は、運転指令が室外機に接続可能な室内機数以上  連続された場合のみ圧縮機等を運転する。
また、従来のマルチ式空調機を上位の管理システムに接続する際には、各室内ユニットと、上位の管理システムのコントローラとを接続するのが一般的である。
【０００５】
従来の空調機の他の例を図３９に示す。
図３９は、例えば特開平４−２８８４４０号公報に示された従来の空気調和機の集中制御システムを示す構成図である。図において、１０１ａ，１０１ｂはリモコン、１０２ａ，１０２ｂは空調ユニット、１０３は空調ユニット１０２ａ，１０２ｂを通信ケーブル１１６でバス接続し、空調ユニットを集中制御する集中コントローラ、１０４はリモコン１０１ａ，１０１ｂのアドレス自動設定スイッチ、１０７はリモコン１０１ａ，１０１ｂのアドレス設定開始指令部、１１５は空調ユニットの室内機制御部、１１４は室内機の応答部、１１１は室内機の重複設定検出部、１１２は室内機のアドレス登録設定部である。
【０００６】
このような従来の空気調和機の集中制御システムでは、リモコン１０１ａ，１０１ｂには複数の室内機制御部１１５が接続された空調ユニット１０２ａ，１０２ｂが接続され、これら空調ユニット１０２ａ，１０２ｂを通信ケーブル１１６でバス接続し、空調ユニットを集中制御する集中コントローラ１０３により通信ケーブル１１６を介したバス通信にてアドレス制御される。リモコン１０１ａのアドレス自動設定スイッチ１０４が入力されると、アドレスの自動設定指令ａが全室内機に出力され、室内機は集中コントローラ１０３及び他の室内機にバス通信の一時中断指令ｄまたは中断解除指令ｅを同報送信し、一方、リモコン１０１ａはアドレス自動設定スイッチ１０４により自動設定指令ａを出力後、アドレス設定開始指令部１０７により各室内機に順々に設定開始指令ｂを出力する。室内機制御部１１５では仮アドレスを設定して他の室内機に個別送信し、他の室内機の応答部１１４からの個別送信のアンサーバックを重複設定検出部１１１で検出してアンサーバックがなくなるまで仮アドレスを変えて個別送信して、アンサーバックのない仮アドレスを自己アドレスとしてアドレス登録設定部１１２で登録設定する。
また、他の例として、特開平６−５８６０２号公報などがある。
【０００７】
【発明が解決しようとする課題】
特開平１−２０８６４７号公報掲載の従来の空調機は、上記のように構成されているから、複数台の室内機で同一状態の運転を同時に行うことが可能であるが、室内−室外間一対の伝送線と、各室内期間を直列に接続する伝送線の全てを接続する必要があり、現地配線作業が大変であり、配線コストもかかるという欠点があった。
また、従来の空調機を上位の管理システムに接続する際には、各室内ユニットと、上位の管理システムのコントローラとを接続するまたは各室内ユニットに上位の管理システムのコントローラとの伝送変換装置を接続するのが一般的であるが、前者の場合は全室内機に上位の管理システム対応の通信Ｈ／Ｗ,Ｓ／Ｗを搭載する必要があり、コストが高くなるという欠点があった。また後者の場合は後から上位の管理システムに接続する際の工事性が悪い、伝送変換装置を設置するスペースが室内機にない等の欠点があった。
【０００８】
特開平４‐２８８４４０号公報に示された従来の空気調和機の集中制御システムでは、各室内機に設定開始指令が入力されると仮アドレスを設定して他の室内機に個別送信する仮アドレス設定手段と、同一アドレスの個別送信があるとアンサーバックする応答手段と、他の室内機からのアンサーバックがあると仮アドレスが他の室内機と重複していると判断し、アンサーバックがなくなるまで仮アドレスを設定手段に仮アドレスを変更するよう指令する重複判別手段と、アンサーバックのない仮アドレスを自己アドレスとして登録するようにしているので、室内機が、他の室内機が送信した信号を受信できる通信回路が必要となり、高価となるという問題点があった。
【０００９】
本発明は上記のような問題点を解消するためになされたもので、第１の目的は現地配線作業を容易に行え、また、上位の管理システムに接続する際の施工性が良く、安価な空調機を提供するものである。
【００１０】
また、第２の目的は、室内機どうしの送受信ができない安価な通信回路を用いた場合にも、複数の室内機と室外機との間で設定する室内ユニット識別番号を自動設定する空調機を得るものである。
また、第３の目的は、室内機、室外機のいずれにもスイッチ等の設定手段を持たずに、室内ユニット接続台数およびユニット識別番号を自動設定する空調機を得るものである。
【００１１】
【課題を解決するための手段】
第１の発明に係わる空調機は、室外ユニットと、前記室外ユニット及び前記室外ユニットに接続された室内ユニットの間の情報を伝達する伝送手段と、前記室内ユニットの少なくともひとつに接続され運転内容の設定を行う運転指令手段と、前記室外ユニットに設けられ、接続された前記室内ユニットの持つ設備機能情報を収集し、前記室内機の設備機能情報から、接続された全室内ユニットの運転設定可能な運転内容を決定し、前記伝送手段を介して前記各室内ユニットへ決定した運転内容を伝達する制御手段と、前記室内ユニットまたは前記運転指令手段の少なくとも一方に設けられ、前記制御手段から伝達された運転設定可能な運転内容を特定の室内ユニットの設備機能情報に限定されることなく前記室内ユニットまたは前記運転指令手段の操作可能な運転内容に自動設定する操作機能設定手段と、を備えたものである。
【００２８】
【発明の実施の形態】
実施の形態１．
以下、この発明の実施の形態の一例を説明する。
図１に、同一の運転を行う空調機の一実施例の構成ブロック図を示す。図において、１は室外ユニットであり、２〜４はそれぞれ室内ユニット(A)〜(C)であり、５はワイヤードタイプの手元リモコンであり、６〜８はそれぞれ室外ユニット１と室内ユニット(A)２〜(C)４間の伝送線であり、９は手元リモコン５と室内ユニット(A)１間の伝送線であり、１０はワイヤレスタイプの手元リモコンである。
図２に、室外ユニット１内の制御部構成ブロック図を、図３に室内ユニット(A)２〜(C)４の制御部構成ブロック図を、図４に手元リモコン５の制御部構成ブロック図を示す。
図２において、２０は室外ユニット１内の制御部であり、２１は室内ユニットからの運転情報を受信する室内外通信受信手段、２２は室内ユニットへ運転設定を送信する室内外通信送信手段、２３は室内外通信受信手段２１により受信した各室内機の運転情報により室内ユニットの同時運転内容を設定する空調ユニット運転設定手段であり、２４は室外ユニットの制御を行う室外ユニット処理部である。
【００２９】
図３において、３０は室内ユニット(A)２〜(C)４内の制御部であり、３１は室外ユニットからの運転設定を受信する室内外通信受信手段、３２は室外ユニットへ運転情報を送信する室内外通信送信手段、３３は手元リモコンからの運転設定を受信するリモコン通信受信手段、３４は手元リモコンへ運転状態を送信するリモコン通信送信手段、３５は室内外通信受信手段３１またはリモコン通信受信手段３３により受信した運転設定により室内ユニットの運転内容を設定する運転設定手段であり、３６は室内ユニットの制御を行う室内ユニット処理部、３７はワイヤレスタイプの手元リモコン１０からの信号を受信するワイヤレス信号受信手段である。
図４において、４０は手元リモコン５内の制御部であり、４１は室内ユニットからの運転状態を受信するリモコン通信受信手段、４２は室内ユニットへ運転設定を送信するリモコン通信送信手段、４３は手元リモコンの制御を行う手元リモコン処理部である。
【００３０】
次に、上記のように構成された同一の運転を同時に行うマルチ式空調機の実施例の動作について説明する。
例えば、図１に示すように室内ユニット(A)２と、室内ユニット(B)３，室内ユニット(C)４が室外ユニット１に接続されている。室内ユニット(A)２〜室内ユニット(C)４は手元リモコン５またはワイヤレスタイプの手元リモコン１０にて運転内容が設定され、同じ設定にて同時運転を行う。
【００３１】
まず、手元リモコン５にて運転設定を行う場合を例にとって動作の説明をする。手元リモコンの制御部は図４に示すような構成となっており、不図示の運転設定スイッチ等により運転内容が設定されると、リモコン処理部４３は設定された運転設定内容をリモコン通信送信手段４２にて室内ユニット(A)２へ送信する。室内ユニット(A)２の制御部は図５に示す構成となっており、リモコンから送信された運転設定内容をリモコン通信受信手段３３にて受信すると、運転設定手段３５にて運転内容を決定し、決定した運転内容に従い室内ユニット処理部３６にて室内ユニットを制御すると共に、室内外通信送信手段３２及びリモコン通信送信手段３４により運転内容，運転状況データを室外ユニット１及び手元リモコン５へ送信する。室外ユニット１の制御部は図２に示す構成となっており、室内外通信受信手段２１にて運転内容を受信すると、空調ユニット運転設定手段２３にて全室内ユニットの同時運転内容を決定し、決定した運転内容に従い室外ユニット処理部２４にて室外ユニットの制御を行うと共に、室内外通信送信手段２２にて、運転内容を室内ユニット(A)２，室内ユニット(B)３，室内ユニット(C)４へ送信する。室内ユニット(A)２〜(C)４は、室内外通信受信手段３１にて運転内容を受信すると、運転設定手段３５にて運転内容を決定し、決定した運転内容に従い室内ユニット処理部３６にて室内ユニットを制御する。
このように、まず手元リモコン５からの運転設定受信により、リモコンが接続された室内ユニット(A)２が、受信運転設定内容に応じて運転を開始し、室内ユニット(A)２が室外ユニット１へ運転設定内容を送信し、室外ユニット１が各室内ユニット(A)２〜(C)４へ運転設定内容を送信することにより全室内ユニットが同時運転を実施する。
【００３２】
次にワイヤレスタイプの手元リモコン１０にて運転設定を行う場合について説明する。室内ユニット(C)４は、ワイヤレス信号受信手段３７にて運転設定を受信すると、運転設定手段３５にて運転内容を決定し、決定した運転内容に従い室内ユニット処理部３６にて室内ユニットを制御すると共に、室内外通信送信手段３２により運転内容，運転状況データを室外ユニット１へ送信する。室外ユニット１は、室内外通信受信手段２１にて運転内容を受信すると、空調ユニット運転設定手段２３にて全室内ユニットの同時運転内容を決定し、決定した運転内容に従い室外ユニット処理部２４にて室外ユニットの制御を行うと共に、室内外通信送信手段２２にて、運転内容を室内ユニット(A)２，室内ユニット(B)３，室内ユニット(C)４へ送信する。室内ユニット(A)２〜(C)４は、室内外通信受信手段３１にて運転内容を受信すると、運転設定手段３５にて運転内容を決定し、決定した運転内容に従い室内ユニット処理部３６にて室内ユニットを制御する。このとき室内ユニット(A)２は、リモコン通信送信手段３４により運転内容，運転状況データを手元リモコン５へ送信し、手元リモコン５はリモコン通信受信手段４２にて室内ユニット(A)２からの運転内容，運転状況を受信すると、リモコン処理部４３にて不図示の表示部等により報知する。
【００３３】
また、手元リモコン５とワイヤレスタイプの手元リモコン１０により同時に異なる内容で運転設定された場合の動作について、手元リモコン５で冷房設定を，ワイヤレスタイプの手元リモコン１０によりドライ設定を行った場合を例にとって説明する。
まず手元リモコン５からの運転設定すなわち冷房設定受信により、リモコンが接続された室内ユニット(A)２が、冷房運転を開始し、ワイヤレスタイプの手元リモコン１０からの運転設定受信すなわちドライ設定受信により、室内ユニット(C)４がドライ運転を開始する。室外ユニット１は、室内外通信受信手段２１にて室内ユニット(A)２及び室内ユニット(C)４からの異なる運転設定内容すなわち冷房設定およびドライ設定を受信すると、空調ユニット運転設定手段２３にて予め定めた優先順位に従い、室内ユニット(A)２及び(C)４からの運転設定のいずれかに運転内容を決定する。たとえばユニット番号の大きい室内ユニットの設定に従うとした場合は、室内ユニット(C)４から受信したドライ設定に決定する。運転内容が決定すると、室外ユニット処理部２４にて室外ユニットの制御を行うと共に、室内外通信送信手段２２にて、運転内容すなわちドライ設定を室内ユニット(A)２，室内ユニット(B)３，室内ユニット(C)４へ送信し、各室内ユニット(A)２〜(C)４は同じ設定内容すなわちドライ設定にて同時運転を行う。室内ユニット(A)２では手元リモコン５からの冷房設定受信により、まず冷房運転を開始するが、室外ユニットからの運転設定を新たに受信することにより、室外ユニットが決定した同時運転内容であるドライ運転を実施するようになり、全室内ユニットが同じ設定にて同時運転を行うようになる。
【００３４】
このように、まず手元リモコン５およびワイヤレスタイプの手元リモコン１０からの運転設定受信により、リモコンが接続された室内ユニット(A)２，ワイヤレス信号受信室内ユニット(C)４が、受信運転設定内容に応じてそれぞれ運転を開始し、室内ユニット(A)２，室内ユニット(C)４が室外ユニット１へ運転設定内容を送信し、室外ユニット１が予め定めた優先順位に従い同時運転内容を決定し、各室内ユニット(A)２〜(C)４へ運転設定内容を送信することにより全室内ユニットが同じ設定内容にて同時運転を実施する。
以上のように室内ユニット(A)２〜(C)４は、室外ユニット１及び手元リモコン５と運転情報の送受信を行うため、室内ユニット(B)３，(C)４と手元リモコン５間の配線工事をすることなく、また複数のリモコンの、異なる運転設定をどのユニットで何時受信しても同じ設定により同時運転制御できる。
本例では、手元リモコン５を室内ユニット(A)２に接続し、ワイヤレスタイプの手元リモコン１０の信号を室内ユニット(C)４にて入力しているが、何れの室内機にて接続しても同様に同時運転制御が可能である。また、操作可能なリモコンの台数は２台に制限されるものではない。
【００３５】
次に、室内のユニットの動作について図５のフローチャートに基づき説明する。ステップＳ１０にて通常運転が開始される。ステップＳ１１にて手元リモコン５からの運転設定を受信すると、ステップＳ１２にて、手元リモコンからの運転設定内容にて空調ユニットの制御を行い、ステップＳ１３にて運転設定内容を室外ユニット１へ送信する。次にステップＳ１４にて室外ユニット１からの運転設定を受信するとステップＳ１５にて、室外ユニット１からの運転設定内容を手元リモコン５へ送信する。ステップＳ１１にて手元リモコン５からの運転設定を受信しなかった場合は前回の運転制御を継続し、ステップＳ１４を実施する。また、ステップＳ１４にて室外ユニット１からの運転設定をしなかった場合は前回の運転制御を継続してステップＳ１１を実施する。
このように、ステップＳ１１、１２にて手元リモコンからの運転設定に従って制御を行っても、ステップＳ１４にて新たに室外ユニットより他の運転設定を受信した場合にはその内容に従って室内ユニットが制御を行うため、複数の室内ユニットが異なる運転設定を受信しても、室外ユニット１が運転設定を決定して送信することにより、各空調ユニットが同じ設定で動作する。
【００３６】
次に室外ユニットの動作について図６のフローチャートに基づき説明する。  ステップＳ２０にて通常運転が開始される。ステップＳ２１にて室内ユニット（Ａ)２〜（Ｃ）４のいずれかからの運転設定を受信すると、ステップＳ２２にて、複数台の空調ユニットからの運転設定を受信したかを判断する。
ステップＳ２２にて、複数台の空調ユニットからの運転設定を受信したと判断した場合は、ステップＳ２３にて予め設定された優先順位に従って運転設定内容を決定し、ステップＳ２４にて自ユニットの制御を行い、ステップＳ２５にて  運転設定内容を全室内ユニット（Ａ)２〜（Ｃ）４へ送信する。ステップＳ２２にて複数台の空調ユニットから運転設定を受信しなかったと判断した場合すなわち１台の空調ユニットからの運転設定受信と判断した場合は、その運転設定内容でステップＳ２４にて自ユニットの制御を行い、ステップＳ２５にて運転設定内容を全室内ユニット（Ａ)２〜（Ｃ）４へ送信する。またステップＳ２１にて室内ユニットからの運転設定を受信しなかった場合は前回の運転制御を継続する。
【００３７】
このように、単一または複数の室内ユニットから運転設定を受信し、室外ユニット１により全空調ユニットの同時運転内容が決定され、各空調ユニットが同じ設定で動作する。上記の優先順位については、号機の大きなユニットからとすれば４号機、３号機・・の順番に優先され、あるいは、運転モードに応じて例えば暖房、冷房、ドライ、送風の順に優先させてもよい。
【００３８】
この空調機では、手元リモコンのリモコン通信受信手段とリモコン通信送信手段と、室内ユニットのリモコン通信受信手段とリモコン通信送信手段により手元リモコンと室内ユニットの間で運転情報の送受信を行い、室外ユニットの室内外通信受信手段と室内外通信送信手段と、室内ユニットの室内外通信受信手段と室内外通信送信手段により室外ユニットと室内ユニットの間で運転情報の送受信を行い、室外ユニットの空調ユニット運転設定手段により各全室内ユニットの同時運転内容を決定し、室内ユニットの運転設定手段にて室内ユニットを運転する。
【００３９】
以上のように、この空調機は、手元リモコンにリモコン通信受信手段とリモコン通信送信手段を、室内ユニットにリモコン通信受信手段とリモコン通信送信手段を備え、手元リモコンと室内ユニットの間で運転情報の送受信を行い、室外ユニットに室内外通信受信手段と室内外通信送信手段を、室内ユニットに室内外通信受信手段と室内外通信送信手段を備え、室外ユニットと室内ユニットの間で運転情報の送受信を行い、室外ユニットに備えた空調ユニット運転設定手段により全室内ユニットの同時運転内容を決定し、室内ユニットに備えた運転設定手段にて室内ユニットを運転するようにしたため、室内ユニットと手元リモコン間のための配線を少なくでき、かつリモコンを接続する室内機に制約がなく多くの室内機に対して施工性にすぐれた同時運転マルチ式空調機を実現できるという効果がある。以上の実施形態１.では各室内ユニットが同一の運転を同時に行うマルチ式空調機の実施例の動作について説明したが、各室内ユニットの運転が異なる設定内容による異なる運転であったり、同時ではなく非同時な運転であってもよい。
【００４０】
実施の形態２.
図７に、空調機の他の実施の形態の例の構成ブロック図を示す。図において、１，１２は室外ユニットであり、２〜４，１３，１４はそれぞれ室内ユニットであり、５，１５はワイヤードタイプの手元リモコンであり、６〜８はそれぞれ室外ユニット１と室内ユニット(A)２〜(C)４間の伝送線であり、９は手元リモコン５と室内ユニット(A)１間の伝送線であり、１０はワイヤレスタイプの手元リモコンである。１１は空調管理システムのコントローラとの間で制御情報を送受信する伝送変換装置であり、１６は複数の空調機を集中管理する空調管理装置である。
図８に他の例の室外ユニット１の制御部構成ブロック図を示す。
【００４１】
図９に、マルチ式空調機の室外ユニット１の他の制御部構成ブロック図の例を、図１０にマルチ式空調機のリモコンの制御部構成ブロック図示す。
図９において、７１は室内外通信受信手段２１により受信した各室内機の運転情報により手元リモコン５，１５または空調管理装置１６により操作できる機能を設定するリモコン機能設定手段である。
図１０において、８１はリモコン通信受信手段４１により受信したリモコン機能情報により操作できる機能を設定する機能設定手段である。この例ではリモコン内の制御部４０に設けたが、同様のものを室内ユニットに設けることができる。
【００４２】
次に、このマルチ式空調機の実施形態についての動作について説明する。
例えば図７に示すように室内ユニット(A)２，(B)３,(C)４が室外ユニット１に接続され、室内ユニット(D)１３，(E)１４が室外ユニット１２に接続されている。室内ユニット(A)２，(D)１３にはそれぞれ手元リモコン５，１５が接続され、室外ユニット１，１２はそれぞれ伝送変換装置１１を介して空調管理装置１６に接続され、手元リモコン５，１５及び空調管理装置１６により運転制御される。まず、空調管理装置１６にて室内ユニット(A)２〜(C)４の運転設定を行う場合を例にとって動作の説明をする。室外ユニット１の制御部は図８に示した構成となっており、室外ユニット１は、空調管理装置１６からの運転設定内容を伝送変換装置１１により受信すると、空調ユニット運転設定手段２３にて全室内ユニットの同時運転内容を決定し、決定した運転内容に従い室外ユニット処理部２４にて室外ユニットの制御を行うと共に、室内外通信送信手段２２にて、運転内容を室内ユニット(A)２，室内ユニット(B)３，室内ユニット(C)４へ送信する。室内ユニット(A)２〜(C)４は、図３の如く室内外通信受信手段３１にて運転内容を受信すると、運転設定手段３５にて運転内容を決定し、決定した運転内容に従い室内ユニット処理部３６にて室内ユニットを制御する。このとき室内ユニット(A)２は、リモコン通信送信手段により運転内容，運転状況データを手元リモコン５へ送信し、手元リモコン５は図１０の如くリモコン通信受信手段４１にて室内ユニット(A)２からの運転内容，運転状況を受信すると、リモコン処理部４３にて不図示の表示部等により報知する。
【００４３】
次に、手元リモコン５にて運転設定を行う場合を例にとって動作の説明をする。室内機(A)２は、手元リモコン５から送信された運転設定内容をリモコン通信受信手段３３にて受信すると、運転設定手段３５にて運転内容を決定し、決定した運転内容に従い室内ユニット処理部３６にて室内ユニットを制御すると共に、室内外通信送信手段３２及びリモコン通信送信手段３４により運転内容，運転状況データを室外ユニット１及び手元リモコン５へ送信する。室外ユニット１は、室内外通信受信手段２１にて運転内容を受信すると、空調ユニット運転設定手段２３にて全室内ユニットの同時運転内容を決定し、決定した運転内容に従い室外ユニット処理部２４にて室外ユニットの制御を行い、室内外通信送信手段２２にて、運転内容を室内ユニット(A)２，室内ユニット(B)３，室内ユニット(C)４へ送信すると共に、伝送変換装置１１にて空調管理装置１６へ運転内容，運転状況を送信する。室内ユニット(A)２〜(C)４は、室内外通信受信手段３１にて運転内容を受信すると、運転設定手段３５にて運転内容を決定し、決定した運転内容に従い室内ユニット処理部３６にて室内ユニットを制御する。
このように室外ユニットに伝送変換装置を備えるだけで複雑な施工をすることなく空調管理装置１６による空調機の集中管理，運転制御を行うことができる。このような室内・室外間通信と室外・上位コントローラ間通信の信号変換を行う伝送変換装置は図８,９のごとく制御装置にあらかじめ組み込んでおいても、あるいは図１,２の構成に後からアダプタとして追加してもよい。
【００４４】
また、このマルチ式空調機の実施形態の動作について説明する。室内ユニット(A)２〜室内ユニット(C)４は予め設定されている自ユニットの有する機能（例えばルーバー機能，ベーンスウィング機能等）を室内外通信送信手段３２により室外ユニット１へ送信する。室外ユニット１は、室内外通信受信手段２１にて各室内ユニット(A)２〜(C)４の機能情報を受信すると、リモコン機能設定手段７１にて手元リモコンまたは空調管理システムのコントローラにより運転設定可能な項目を決定し、室内外通信送信手段２２にて、機能情報を室内ユニット(A)２へ送信する。室内ユニット(A)２は、室内外通信受信手段３１にて受信した機能情報をリモコン通信送信手段３４により手元リモコン５へ送信し、手元リモコン５はリモコン通信受信手段４２にて室内ユニット(A)２からの機能情報を受信すると、機能設定手段８１にて自己が操作可能な項目を設定する。たとえば、室外ユニット１がリモコン機能情報としてベーンあり，スウィングなしを設定した場合には手元リモコン５は機能設定手段８１を介してリモコン処理部４３にて不図示の設定スイッチによるベーンスウィング設定すなわち上下風向の連続動作設定を無効とするように処理する。また、空調管理装置の場合も同様に、室外ユニット１が伝送変換装置１１を介して機能情報を送信することにより操作可能な項目を設定することができる。
このように、リモコンにて操作可能な項目をリモコン接続された室内ユニットの機能に限定されることなく設定することが可能となる。
なお、機能設定手段８１はリモコンに設けず室内機に設けてリモコン操作による機能情報を室内機で変換し運転させてもよい。
【００４５】
さらにまた、このマルチ式空調機の実施例の動作について説明する。室内ユニット(A)２〜室内ユニット(C)４は予め設定されている自ユニットの有する機能（例えばルーバー機能，ベーンスウィング機能等）を室内外通信送信手段３２により室外ユニット１へ送信する。室外ユニット１は、室内外通信受信手段２１にて各室内ユニット(A)２〜(C)４の機能情報を受信すると、リモコン機能設定手段７１にて手元リモコンまたは空調管理システムのコントローラにより運転設定可能な項目を各室内ユニットの機能の論理和にて決定し、室内外通信送信手段２２にて、機能情報を室内ユニット(A)２へ送信する。室内ユニット(A)２は、室内外通信受信手段３１にて受信した機能情報をリモコン通信送信手段３４により手元リモコン５へ送信し、手元リモコン５はリモコン通信受信手段４２にて室内ユニット(A)２からの機能情報を受信すると、機能設定手段にて自己が操作可能な項目を設定する。
【００４６】
たとえば、室内ユニット(A)２が「ルーバーあり，スウィングなし」、室内ユニット(B)３，(C)４が「ルーバーなし，スウィングあり」に設定されていた場合、室外ユニット１はリモコン機能情報として論理和である「ルーバーあり，スウィングあり」を設定し、設定内容を室内ユニット(A)２を介して手元リモコン５へ送信し、手元リモコン５はリモコン通信受信手段４１，機能設定手段８１を介してリモコン処理部４３にて不図示の設定スイッチによるルーバー設定すなわち左右風向の連続動作設定，ベーンスウィング設定すなわち上下風向の連続動作設定を共に有効とし、両方設定された場合にはルーバー設定＝”ＯＮ”という信号とベーン設定＝”スウィング”という信号を同時に送信する。手元リモコン５が接続された室内ユニット(A)２は、リモコン通信受信手段３３にて他の運転設定情報と共に、ルーバー設定＝”ＯＮ”という信号とベーン設定＝”スウィング”という信号を同時に受信する。室内ユニット(A)２は自己の機能情報が「ルーバーあり，スウィングなし」であるため、自ユニットで制御可能な内容であるルーバー＝”ＯＮ”すなわち左右風向の連続動作を実施する。また、室内ユニット(A)２はスウィング機能がないため、上下風向の連続動作は実施しないが、室内外通信送信手段３２により他の運転設定情報と共に、ルーバー設定＝”ＯＮ”という信号とベーン設定＝”スウィング”という信号を室外ユニット１へ送信する。
【００４７】
室外ユニット１は、室内外通信受信手段２１にて運転設定を受信すると室内外通信送信手段２２は他の運転設定情報と共に、ルーバー設定＝”ＯＮ”という信号とベーン設定＝”スウィング”という信号を室内ユニット(A)２〜室内ユニット(C)４に同時に送信する。
室内ユニット(B)３，(C)４は「ルーバーなし，スウィングあり」の機能であるため、室内外通信受信手段３１により運転設定を受信すると、左右風向の連続動作は実施せず、ベーンスウィングすなわち上下風向の連続動作を実施する。
このように、従来の同時運転マルチ空調機ではリモコンが接続された機種がスウィング機能なしの機種の場合は、同じ室外ユニットに接続された他の室内ユニットがスウィング機種であっても、ベーン設定をスウィングにすることが不可能であり、またリモコンが接続された機種がルーバー機能なしの機種の場合は、他の室内ユニットがルーバー機種であっても、ルーバー設定をＯＮにすることが不可能であったものが、本実施例の同時運転マルチ空調機では可能となる。
【００４８】
また、上記例はルーバー／スウィング機種の混在の場合を例に取っているが、風速切換機能が２段の機種と４段の機種と切換無しの機種が混在した場合にも同様であり、室外ユニット１はリモコン機能情報として論理和である「風速切換４段」を設定し、設定内容を室内ユニット(A)２を介して手元リモコン５へ送信し、手元リモコン５はリモコン通信受信手段４１，機能設定手段８１を介してリモコン処理部４３にて不図示の設定スイッチによる風速設定の弱風，中弱風，中強風，強風の各設定を有効とするように動作する。たとえば、室内ユニット(A)２が風速切換無しの機種で、室内ユニット(B)３が風速切換２段の機種，室内ユニット(C)４が風速切換４段の機種であり、手元リモコンで風速を”中強風”に設定した場合、室内ユニット(A)２は風速切換無しであるため、風速固定のままたとえば強風で動作して室内外通信送信手段３２にて風速＝”中強風”を送信する。室内ユニット(B)３は風速切換２段であるため予めたとえば弱風，中弱風，中強風の設定を受信した場合には弱風に、強風を受信した場合は強風で制御するように決められており、”中強風”受信により弱風で動作する。室内ユニット(C)４は風速切換４段であるため、受信した”中強風”にて動作する。
【００４９】
このように、従来のマルチ空調機ではリモコンが接続された機種が風速切換無し機種の場合は、同じ室外ユニットに接続された他の室内ユニットが風速切換２段または４段の機種であっても、風速切換制御を実施することが不可能であり、また、リモコンが接続された機種が風速切換２段機種の場合、他の室内ユニットが風速切換４段の機種であっても、４段階の風速切換制御を実施することが不可能であったものが、本実施例のマルチ空調機では可能となる。
すなわち、リモコンにて操作可能な項目を特定の室内ユニットの機能に限定されることなく設置された室内機の本来備える機能を全て設定可能とすることができる。
また、空調管理装置の場合も同様に、室外ユニット１が伝送変換装置１１を介して機能情報を送信することにより操作可能な項目を設定することができる。
【００５０】
以上のように、このマルチ式空調機では、室外ユニットの伝送変換装置と、複数の空調機を集中管理する空調管理システムのコントローラとの間で制御情報を送受信し、空調管理システムのコントローラによるマルチ式空調機の運転設定、管理を行う。
すなわち、マルチ式空調機は室外ユニットに伝送変換装置を備え、複数の空調機を集中管理する空調管理システムのコントローラとの間で制御情報を送受信し、空調管理システムのコントローラによるマルチ式空調機の運転設定、管理を行うようにしたため、台数の多く、かつ後施工のしにくい室内ユニットにでなく、室外ユニットに伝送変換装置を備えるだけで複雑な施工をすることなく安価に空調管理装置１６による空調機の集中管理、運転制御を行うことができるという効果がある。また、伝送変換装置を設置するスペースがない室内機でも、空調管理装置１６による空調機の集中管理、運転制御を行うことができるという効果がある。
【００５１】
また、このマルチ式空調機では、室外ユニットの室内外通信受信手段で各室内ユニットの機能情報を収集し、リモコン機能設定手段で手元リモコンまたは空調管理システムのコントローラにより運転設定可能な項目を決定し、室内機を介して手元リモコンに送信し、手元リモコンではリモコン通信受信手段にて受信した情報に従い機能設定手段で操作可能な機能を自動設定する。
【００５２】
すなわちこのマルチ式空調機は、室外ユニットに備えた室内外通信受信手段で各室内ユニットの機能情報を収集し、リモコン機能設定手段で手元リモコンまたは空調管理システムのコントローラにより運転設定可能な項目を決定し、室内機を介して手元リモコンに送信し、手元リモコンに備えた手元リモコン通信受信手段にて受信した情報に従いリモコン機能設定手段で操作可能な機能を自動設定するようにしたため、リモコン操作可能な項目をリモコン接続された室内ユニットの機能に制限されることなく設定することが可能となるという効果がある。
【００５３】
また、このマルチ式空調機では、室外ユニットの室内外通信受信手段で各室内機の機能情報を収集し、リモコン機能設定手段で各室内機の機能情報の論理和により前記リモコン機能を設定する。
【００５４】
すなわち、このマルチ式空調機は、室外ユニットに備えた室内外通信受信手段で各室内機の機能情報を収集し、リモコン機能設定手段で、各室内機の機能情報の論理和により前記リモコン機能を設定するようにしたため、リモコンにて操作可能な項目を特定の室内ユニットに限定されることなく、設置された室内機の本来備える機能を全て設定可能とすることができる。
【００５５】
実施の形態３．
以下、この発明の実施形態について、図１，図１１，図１２により説明する。
図１１は他の実施の形態である。
空調機の室内ユニット及び室外ユニットの制御装置を、図１２は室内ユニット及び室外ユニットの制御装置の動作を示すフローチャートである。
図１１において３１１は室内ユニットまたは室外ユニットの各制御を行うユニット制御部、３１２は例えば、スイッチ，ジャンパーなどにより室内ユニットまたは室外ユニットの機種を設定する自ユニット機種設定手段、３１３は自ユニット機種設定手段３１２にて設定された自ユニットの機種データを不揮発メモリ等に記憶する自ユニット機種記憶手段、３１４は自ユニット機種設定手段３１２にて選択しうる機種に関する全機能情報を記憶する全機種機能記憶手段、３１５は自ユニット機種設定手段３１２で設定した機種と全機種機能記憶手段３１４にて記憶した各機種毎の機能から自ユニットの機能を設定する自ユニット機能設定手段である。
【００５６】
次に動作について図１２のフローチャートに基づいて説明する。
各ユニット（室内ユニット，室外ユニット）は電源投入時、ステップＳ１０１にて、スイッチ，ジャンパー設定を入力する等により自ユニットの機種を設定（自ユニット機種設定手段３１２）し、ステップＳ１０２にて、不揮発メモリ等の自ユニット機種記憶手段３１３にて記憶している自ユニットの機種データと、ステップＳ１０１にて新たに設定した機種データと比較する。比較した結果、ステップＳ１０３にて機種データが異なると判断した場合は、ステップＳ１０４にて、ステップＳ１０１にて新たに設定した機種データを自ユニット機種記憶手段３１３にて記憶し、ステップＳ１０５にて、全機種機能記憶手段３１４にて記憶した各機種毎の機能データを読み出し、ステップＳ１０６にて、各機種毎の機能データの中から、ステップＳ１０１にて新たに設定した機種データに対応する機能を自ユニットの機能に設定する（自ユニット機能設定手段３１５）。ステップＳ１０３にて、機種データを比較した結果、機種データが一致する場合は、ステップＳ１０６にて、前回設定値を自ユニットの機能とする。
なお、スイッチの例としては基板に設けたオン、オフや、スライドが可能なDIPスイッチを複数設けこのスライド状態によって０や１の信号の組み合わせとしてマイコン（ユニット制御部３１１）に読みとらせて機種設定の判断が可能となる。
【００５７】
次に、他の実施形態を図１３〜図１７により説明する。
図１３は請求項１１記載の空調機の一実施形態を用いる室内ユニットの制御装置を、図１４は室外ユニットの制御装置を、図１５はリモコンの制御装置を示す構成図、図１６は室内ユニットの制御装置の動作を、図１７は室内ユニットの制御装置の動作を示すフローチャートである。
図１３において１２１は室内ユニットの各制御を行う室内ユニット制御部、１２２は例えば、スイッチ，ジャンパーなどにより室内ユニットの機種を設定する自ユニット機種設定手段、１２３は自ユニット機種設定手段１２２にて設定された自ユニットの機種データを不揮発メモリ等に記憶する自ユニット機種記憶手段、１２４は自ユニット機種設定手段１２２にて選択しうる機種に関する全機能の初期値を記憶する全機種機能初期値記憶手段、１２５は自ユニット機種設定手段１２２で設定した機種と全機種機能初期値記憶手段１２４にて記憶した各機種毎の機能から自ユニットの機能を設定する自ユニット機能設定手段、１２６は自ユニット機能設定手段１２５にて設定した自ユニットの機能情報を記憶する自ユニット機能記憶手段、１２７はリモコンと運転情報，機能情報の送受信を行うリモコン通信手段、１２８は室外ユニットと運転情報，機能情報の送受信を行う室内外通信手段である。
【００５８】
図１４において１３１は室外ユニットの各制御を行う室外ユニット制御部、１３２は例えば、スイッチ，ジャンパーなどにより室外ユニットの機種を設定する自ユニット機種設定手段、１３３は自ユニット機種設定手段１３２にて設定された自ユニットの機種データを不揮発メモリ等に記憶する自ユニット機種記憶手段、１３４は自ユニット機種設定手段１３２にて選択しうる機種に関する全機能の初期値を記憶する全機種機能初期値記憶手段、１３５は自ユニット機種設定手段１３２で設定した機種と全機種機能初期値記憶手段１３４にて記憶した各機種毎の機能から自ユニットの機能を設定する自ユニット機能設定手段、１３６は自ユニット機能設定手段１３５にて設定した自ユニットの機能情報を記憶する自ユニット機能記憶手段、１３７は室内ユニットと運転情報，機能情報の送受信を行う室内外通信手段である。
【００５９】
図１５において１４１はリモコンの各制御を行うリモコン制御部、１４２は室内ユニットと運転情報，機能情報の送受信を行うリモコン通信手段、１４３は各室内ユニット，室外ユニットの機能を表示するユニット機能表示手段、１４４はユニット機能表示手段１４３にて表示されたユニットの機能を設定変更するユニット機能設定変更手段である。
【００６０】
次に動作について図１６，図１７のフローチャートに基づいて説明する。
まず、室内ユニットの動作について図１６のフローチャートに基づいて説明する。室内ユニットは電源投入時、ステップＳ１１１にて、スイッチ，ジャンパー設定を入力する等により自ユニットの機種を設定（自ユニット機種設定手段１２２）し、ステップＳ１１２にて、不揮発メモリ等の自ユニット機種記憶手段１２３にて記憶している自ユニットの機種データと、ステップＳ１１１にて新たに設定した機種データと比較する。比較した結果、ステップＳ１１３にて機種データが異なると判断した場合は、ステップＳ１１４にて、ステップＳ１１１にて新たに設定した機種データを自ユニット機種記憶手段１２３にて記憶し、ステップＳ１１５にて、全機種機能初期値記憶手段１２４にて記憶した各機種毎の機能データ初期設定値を読み出し、ステップＳ１１６にて、各機種毎の機能データ初期値の中から、新たに設定した機種データに対応する機能を自ユニットの機能に設定（自ユニット機能設定手段１２５）した後、ステップＳ１１７にて、自ユニットの機能情報を不揮発メモリ等の自ユニット機能記憶手段１２６で記憶する。ステップＳ１１３にて、機種データを比較した結果、機種データが一致する場合は、ステップＳ１１６にて、前回設定値を自ユニットの機能とする。
この設定は例えば室内機の運転に必要なデータであれば室内機を運転制御する図１３の制御装置１２１の内部に設けられた記憶手段（RAM）の設定を変更することで行われる。更に、この内容を不揮発メモリである自ユニット機能記憶手段１２６にも同様に設定変更が行われる。
ステップＳ１１８で、リモコン通信手段１２７によりリモコンから機能情報データを受信したと判断し、ステップＳ１１９で受信データが自ユニットに対する機能情報データであると判断すると、受信内容に応じて、ステップＳ１２０にて、新たに機能情報を設定し直し（更新する）、ステップＳ１２１にて機能情報を自ユニット機能記憶手段１２６で記憶し、ステップＳ１２２にて、室内外通信手段１２８により機能情報を室外ユニットへ送信する。ここで、ステップＳ１１９で受信データが自ユニットに関する機能情報データでないと判断した場合ステップＳ１２０，Ｓ１２１を実施せず、ステップＳ１２２にて受信データを室外ユニットへ送信する。
ステップＳ１２２終了後、またはステップＳ１１８にてリモコンから機能情報データを受信せず、ステップＳ１２３で室内外通信手段１２８により室外ユニットから機能情報データを受信したと判断し、ステップＳ１２４で受信データが自ユニットに対する機能情報データであると判断すると、受信内容に応じて、ステップＳ１２５にて、新たに機能情報を設定し直し（更新する）、ステップＳ１２６にて機能情報を自ユニット機能記憶手段１２６で記憶し、ステップＳ１２７にて、リモコン通信手段１２７により機能情報をリモコンへ送信し、ステップＳ１１８の受信待ち状態へ戻る。ここで、ステップＳ１２４で受信データが自ユニットに関する機能情報データでないと判断した場合ステップＳ１２５，Ｓ１２６を実施せず、ステップＳ１２７にて受信データをリモコンへ送信する。
ステップＳ１２３にて室外ユニットから機能情報データを受信せず、ステップＳ１２８でリモコン通信手段１２７または室内外通信手段１２８により運転制御データを受信した場合、ステップＳ１２９で受信内容に応じて運転制御を行い、ステップＳ１１８の受信待ち状態へ戻る。また、ステップＳ１２８でリモコンまたは室外ユニットからの運転制御データを受信しなかった場合はステップＳ１１８の受信待ち状態へ戻る。
【００６１】
このように、リモコンから設定変更して送信した機能情報データが自ユニットに対する内容である場合は自ユニットの機能設定変更処理を実施し、他のユニット（室外ユニットまたは他の室内ユニット）に対するデータであった場合は、室内外通信手段１２８を介して室外ユニットまたは他の室内ユニットへ送信し、各ユニットが自ユニットの情報受信時に自己機能を設定変更するため、リモコン接続位置は任意でよく、接続し直す必要はない。
【００６２】
次に、室外ユニットの動作について図１７のフローチャートに基づいて説明する。室外ユニットは電源投入時、ステップＳ１３１にて、スイッチ，ジャンパー設定を入力する等により自ユニットの機種を設定（自ユニット機種設定手段１３２）し、ステップＳ１３２にて、不揮発メモリ等の自ユニット機種記憶手段１３３にて記憶している自ユニットの機種データと、ステップＳ１３１にて新たに設定した機種データと比較する。比較した結果、ステップＳ１３３にて機種データが異なると判断した場合は、ステップＳ１３４にて、ステップＳ１３１にて新たに設定した機種データを自ユニット機種記憶手段１３３にて記憶し、ステップＳ１３５にて、全機種機能初期値記憶手段１３４にて記憶した各機種毎の機能データ初期設定値を読み出し、ステップＳ１３６にて、各機種毎の機能データ初期値の中から、新たに設定した機種データに対応する機能を自ユニットの機能に設定（自ユニット機能設定手段１３５）した後、ステップＳ１３７にて、自ユニットの機能情報を不揮発メモリ等の自ユニット機能記憶手段１３６で記憶する。ステップＳ１３３にて、機種データを比較した結果、機種データが一致する場合は、ステップＳ１３６にて、前回設定値を自ユニットの機能とする。
ステップＳ１３８で、室内外通信手段１３７により室内ユニットから機能情報データを受信したと判断し、ステップＳ１３９で受信データが自ユニットに対する機能情報データであると判断すると、受信内容に応じて、ステップＳ１４０にて、新たに機能情報を設定し直し（更新する）、ステップＳ１４１にて機能情報を自ユニット機能記憶手段１３６で記憶し、ステップＳ１４２にて、室内外通信手段１３７により機能情報を全室内ユニットへ送信し、ステップＳ１３８の受信待ち状態へ戻る。
ステップＳ１３８にて室内ユニットから機能情報データを受信せず、ステップＳ１４３で室内外通信手段１３７により運転制御データを受信した場合、ステップＳ１４４で受信内容に応じて運転制御を行い、ステップＳ１３８の受信待ち状態へ戻る。また、ステップＳ１４３で室内ユニットからの運転制御データを受信しなかった場合はステップＳ１３８の受信待ち状態へ戻る。
【００６３】
次に、リモコンの動作について図１５に基づいて説明する。
リモコンは、ユニット機能設定変更手段１４４にて、例えばスイッチ操作によりユニット機能設定変更モードへ移行すると、リモコン通信手段１４２にて室内ユニットから全室内ユニット、室外ユニットの機能情報を収集し、スイッチ操作により選択されたユニット、設定変更項目における現在設定データをユニット機能表示手段１４３で表示する。更にスイッチ操作により設定変更入力があると、リモコン通信手段１４２にて室内ユニットへ送信し、ユニット機能表示手段１４３で表示する。
【００６４】
次に、他の実施形態を図１８により説明する。
図１８において１４１はリモコンの各制御を行うリモコン制御部、１４２は室内ユニットと運転情報，機能情報の送受信を行うリモコン通信手段、１４３は各室内ユニット，室外ユニットの機能を表示するユニット機能表示手段、１４４〜１４６はそれぞれユニット機能表示手段１４３にて表示されたユニットの機能を設定変更するユニット機能設定変更手段１〜ｎであり、ユニット機能設定変更手段１〜ｎは、例えば設定変更する項目毎に異なる入力手段を設ける。
例えば、初期据え付け時に据え付け作業者が設定する項目と、客先からの要求等によりサービス業者が設定する項目の２種類に分けた場合について説明する。初期据え付け時に、据え付け作業者が設定する項目はユニット機能設定変更手段１、例えばスイッチＡを押すことにより設定モードへ移行し、客先からの要求等によりサービス業者が設定する項目はユニット機能設定変更手段２、例えばスイッチＢを押すことにより設定モードへ移行するようにする。
据えつけ業者は据えつけ場所の高さや汚れ状況により吹き出し風量を変化させたり、或いは汚れに対応してフィルタ目詰まり検出時期を変更したりする。
一方、サービス業者は凍結防止温度設定やスイングの有無等、客先の要請に応じて機能の変更を実施する。
すなわち、図２０に示した本実施例のリモコンにおいてスイッチＡ（ユニット機能設定変更手段１４４）にて設定モードへ移行した場合は、据え付け作業者が設定する項目例えば項目番号１〜１０のみユニット機能表示手段１４３で表示する。例えば、項目を上下キー１５１，１５２で選択する場合は、上下キー入力の度に項目番号１〜１０を項目表示部１５３にて順に表示し、１〜１０の項目の内から選択された項目が設定変更可能となる。また、スイッチＢ（ユニット機能設定変更手段１４５）にて設定モードへ移行した場合は、サービス業者が設定する項目例えば項目番号１１〜２０のみユニット機能表示手段１４３で表示する。同様に項目を上下キー１５１，１５２で選択する場合は、上下キー入力の度に項目番号１１〜２０を項目表示部１５３にて順に表示し、１１〜２０の項目の内から選択された項目が設定変更可能となる。このようにモードに移行する操作を分けることで、設定変更する項目の種別に応じて、設定変更できる項目を分類することができる。
【００６５】
次に、他の実施形態を図２０，図２１により説明する。
図２０はマルチ式空調機の一実施例を用いる室内ユニットの制御装置を示す構成図、図２１は室内ユニットの制御装置の動作を示すフローチャートである。
図２０において１２９はワイヤレスリモコンからのアドレス符号を含む点検信号を受信するワイヤレス信号受信手段である。
動作について図２１のフローチャートで説明する。室内ユニットは、ステップＳ１５１にてワイヤレスリモコンからアドレス符号を含む点検要求信号を受信すると、ステップＳ１５２にて、受信したアドレス符号が予め決められたアドレスに一致するか判断する。受信したアドレス符号が予め決められたアドレスたとえば５０に一致する場合には、ステップＳ１５３にて機能情報設定変更モードへ移行する。機能情報設定変更モードへ移行した後、ステップＳ１５４で、ワイヤレスリモコンからのアドレス符号を含む点検要求信号を再度受信すると、受信したアドレス符号に対応してステップＳ１５５で、設定変更する項目を確定する。例えば、アドレス３を受信した場合は、風量ＵＰの設定変更モードへ移行する。ステップＳ１５６にて、ワイヤレスリモコンからのアドレス符号を含む点検要求信号を再度受信すると、受信したアドレス符号に対応してステップＳ１５７で、設定変更する内容を確定する。例えば、アドレス２を受信した場合は、風量ＵＰ設定２の設定を行う。
ステップＳ１５８では確定した設定変更項目，設定変更内容に従い、自ユニットの機能を設定変更する。
ステップＳ１５２にて、受信したアドレス符号が予め決められたアドレスたとえば５０に一致しない場合には、通常の点検要求信号と認識し、ステップＳ１６０にて過去の異常コードをブザー，ＬＥＤにより出力する等の自己診断を実施した後、ステップＳ１５１の受信待ち状態に戻る。また、ステップＳ１５１にてワイヤレスリモコンからアドレス符号を含む点検要求信号を受信せず、ステップＳ１６１で運転データを受信した場合は、受信データに応じてステップＳ１６２にて、運転制御し、ステップＳ１５１の受信待ち状態に戻る。ステップＳ１６１で運転データを受信しない場合にも、ステップＳ１５１の受信待ち状態に戻る。
【００６６】
本実施形態では、ワイヤレス信号を受信したユニットの機能を変更する例を示したが、本実施例同様にワイヤレスリモコンからのアドレス符号を含む点検要求信号を更に受信されることで、対象ユニットの選択を行ってもよい。この場合、自ユニット以外の内容であれば、室内外通信手段１２８により、室外ユニットまたは他の室内ユニットへ送信することで他のユニットの設定を行う。
【００６７】
実施の形態４．
以下、この発明の一実施例について、図２２，図２３により説明する。
図２２は、この発明のマルチ式空調機の一実施例を用いる制御装置の構成である。  図において、１は室外ユニットを、２は室外ユニット１に接続される室内ユニット(A)を、３は室外ユニット１に接続される室内ユニット(B)を、４は室外ユニット１に接続される室内ユニット(C)を、６〜８は室外ユニット１と室内ユニット(A)２〜室内ユニット(C)４間の電源線及び通信線を共有した室内外接続線である。
２０は通信回路２１３を介して各室内ユニットと制御情報の送受信を行い、室外ユニットの各動作を制御する室外ユニット制御部を、２２は室内ユニット(A)２〜(C)４及び不図示の室内ユニットに各制御情報を送信する送信回路を、２１は室内ユニット(A)２〜(C)４及び不図示の室内ユニットからの制御情報を受信する受信回路を、２１３は送信回路２２及び受信回路２１で構成される室外ユニット通信回路を、３０は室内ユニット(A)２〜(C)４及び不図示の室内ユニットに備えられ、通信回路２２３を介して室外ユニットと制御情報の送受信を行い、各室内ユニットの動作を制御する室内ユニット制御部を、３２は室外ユニット１に各制御情報を送信する送信回路を、３１は室外ユニット１からの制御情報を受信する受信回路を２２３は送信回路３２及び受信回路３１で構成される室内ユニット通信回路を示す。
【００６８】
図２３は室外ユニット１に接続される室内ユニットが(A)２〜(C)４の３台の場合の、室内ユニットと室外ユニット間で運転制御情報を送受信する際の通常通信動作の一実施例を示すタイミングチャートである。
室内ユニット(A)２〜(C)４は、室外ユニットから制御情報（データ１０）を受信したら、設定した自ユニット識別番号に従い、応答データ（データ１１〜１３）を順に送信する。このとき、例えば、室内ユニット(C)４が識別番号１，室内ユニット(A)２が識別番号２，室内ユニット(B)３が識別番号３に設定されたとすると、
室内ユニット(C)４はデータ１０受信後Ｔ１経過時に応答データ（データ１１）を、室内ユニット(A)２はデータ１０受信後Ｔ２経過時に応答データ（データ１２）を室内ユニット(B)３はデータ１０受信後Ｔ３経過時に応答データ（データ１３）を順に送信する。また、データ１０受信後Ｔ０経過時に全室内ユニットが送信処理を終了して受信処理に移行する。
室外ユニットは、データ１０送信後Ｔ０経過時に、次の制御データ（データ２０）を送信する。このときの室外ユニットの送信タイミングＴ０は、接続台数設定手段にて設定した室内ユニット接続台数により、室内ユニット１台当たりの送信時間を基に設定する。
尚、上記通信動作は、室内ユニットどうしの送受信ができないような安価な通信回路を用いた場合の一実施例であり、これに限ることはない。
【００６９】
次に動作について図２４，図２５のフローチャート，図２６のタイミングチャートに基づいて説明する。本実施例では、所定の論理符号を”１”とした場合について説明するが、所定の論理符号は、”０”あるいは”１”と”０”の組み合わせでもよい。
図２４は室外ユニットにおける、室内ユニット接続台数設定手段の動作を示すフローチャートである。
図において、室外ユニット１は電源投入後、ステップＳ１０１にて全室内ユニット（(A)２〜(C)４及び不図示の室内ユニット）に対して、識別符号要求を送信回路２２により室内外接続線６〜８を介して送信する。ステップＳ１０２にて室内ユニットからの識別符号を受信するまで待機し、室内外接続線６〜８を介して受信回路２１にて識別符号を受信したらステップＳ１０３にて受信した識別符号の所定の論理符号の数（本実施例の場合は論理”１”の数）をカウントする。このステップＳ１０１〜ステップＳ１０３までを、ステップＳ１０４にて、識別符号を一定回数ｎ1回受信したと判断するまで繰り返し実施し、識別符号を一定回数ｎ1回受信したと判断したら、ステップＳ１０５にて、ステップＳ１０３でカウントした論理”１”の数の、ｎ1回実施した内の最大値を算出する。論理”１”の数の最大値を、ステップＳ１０６にて一定値ｍ1で除算し、除算した商をステップＳ１０７にて、自ユニットに接続されている室内ユニットの接続台数に設定する。
【００７０】
ここで、論理”１”とは、複数の室内ユニットが論理”１”と論理”０”を同時に送信したとき、室外ユニット１が受信回路２１にて、論理”１”を受信するように設定された符号のことを意味する。
【００７１】
図２５は室内ユニットにおける、識別符号設定手段と、識別符号送信手段の動作を示すフローチャートである。ステップＳ１１１，Ｓ１１２は識別符号設定手段、ステップＳ１１３，Ｓ１１４は識別符号送信手段の動作を示す。
図において、室内ユニット(A)２〜(C)４及び不図示の室内ユニットは、電源投入後、ステップＳ１１１にて室外ユニット１からの識別符号要求を受信するまで待機し、室内外接続線６〜８を介して受信回路３１にて識別符号要求を受信したら、ステップＳ１１２にて、送信する符号列の論理”１”の数が一定値ｍ1となるように識別符号を設定する。この一定値ｍ1は、図２４に示した室外ユニットのステップＳ１０６における一定値ｍ1に同じとする。また、識別符号の設定は、ステップＳ１１１にて室外ユニット１からの識別符号要求を受信する度に例えば乱数，マイコンのタイマカウント値からの演算等により任意に設定する。ステップＳ１１３にて、識別符号の送信タイミングとなるまで待機し、識別符号の送信タイミングとなったら、ステップＳ１１４にて、送信回路２２により室内外接続線６〜８を介して識別符号を室外ユニット１へ送信する。ここで、ステップＳ１１３における識別符号の送信タイミングは、全室内ユニットの送信タイミングが同時になるよう、例えば、室外ユニット１からの信号受信後の一定時間経過時とする。
【００７２】
図２６は、識別符号の論理”１”の数（ｍ1）が２の場合，また、室外ユニット１に接続される室内ユニットが(A)２〜(C)４の３台の場合の動作を示すタイミングチャートである。
室外ユニットは、識別符号要求信号（信号１０１）を送信回路２２により室内外接続線６〜８を介して送信する。（図２４ステップＳ１０１）
室内ユニット(A)２〜(C)４は、識別符号設定手段（図２５ステップＳ１１２）により、送信する符号列の論理”１”の数が一定値２となるように識別符号を設定し、識別符号送信手段（図２５ステップＳ１１４）にて、全室内ユニットの送信開始タイミングが同時となるように、例えば図のように室外ユニット１が”識別符号要求”を送信後、一定時間ｔを経過時に、同時に識別符号をビット１から送信する。（信号１０２〜１０４）
室外ユニットは、室内外接続線６〜８を介して受信回路２１にて識別符号の論理和符号・信号１０５を受信（図２４ステップＳ１０２）し、室内ユニット接続台数自動設定手段（図２４ステップＳ１０３〜Ｓ１０７）により、室内ユニットの接続台数を設定する。
本実施例では、カウントした信号１０５の論理”１”の数が６であり（ステップＳ１０５）、一定値２で除算する（ステップＳ１０６）と商は３であるため、自ユニットに接続されている室内ユニットの接続台数を３に設定する（ステップＳ１０７）。
【００７３】
本実施例では、室内ユニットがステップＳ１１２で符号列の論理”１”の数が一定値ｍ１＝２となるように識別符号を設定したが、一定値ｍ１＝１とした場合には、室外ユニットは、図２４ステップＳ１０６で、受信した論理”１”の数の最大値を１で除した商を接続台数と設定するため、受信した論理”１”の数の最大値が接続台数となる。
また、識別符号の送受信をｎ１回繰り返して行うが、ｎ１を大きくすることで接続台数の誤設定の確率を下げることが可能である。また、識別符号の論理”１”の数ｍ１を大きくすることで、全室内ユニットが乱数等により任意に設定する識別符号が重複する確率が下がり、接続台数の誤設定の確率を更に下げることが可能である。
【００７４】
また、本実施例では、室外ユニット１が”識別符号要求”を送信後、一定時間ｔを経過時に、室内ユニットが同時に識別符号をビット１から送信するようにしたが、室外ユニット１からの”識別符号要求”受信によらず、電源投入時から一定間隔で同時に送信するようにしてもよい。
【００７５】
次に、他の実施例を図２７，図２８，図２９により説明する。本実施例では、請求項１４対応の実施形態同様、所定の論理符号を”１”とした場合について説明する
図２７は請求項１５記載の室外ユニットにおける、室内ユニット接続台数設定手段と、室内ユニット識別番号設定手段と、接続台数，識別番号及び識別符号送信手段の動作を示すフローチャートである。ステップＳ２０１〜Ｓ２０６は室内ユニット接続台数設定手段、ステップＳ２０７〜Ｓ２１１は室内ユニット識別番号設定手段、ステップＳ２１２は接続台数，識別番号及び識別符号送信手段を示す。
図において室外ユニット１は電源投入後、ステップＳ２０１にて全室内ユニット（(A)２〜(C)４及び不図示の室内ユニット）に対して、識別符号要求を送信回路２２により室内外接続線６〜８を介して送信する。ステップＳ２０２にて室内ユニットからの識別符号を受信するまで待機し、室内外接続線６〜８を介して受信回路２１にて識別符号を受信したらステップＳ２０３にて受信した識別符号の論理”１”の数をカウントする。このステップＳ２０１〜ステップＳ２０３までを、ステップＳ２０４にて、識別符号を一定回数ｎ1回受信したと判断するまで繰り返し実施し、識別符号を一定回数ｎ1回受信したと判断したら、ステップＳ２０５にて、ステップ２０３でカウントした論理”１”の数の最大値を算出する。論理”１”の数の最大値を、ステップＳ２０６にて、自ユニットに接続されている室内ユニットの接続台数に設定する。
ステップＳ２０６にて室内ユニット接続台数を設定すると、ステップＳ２０７にて全室内ユニット（(A)２〜(C)４及び不図示の室内ユニット）に対して、識別符号要求を送信回路２２により室内外接続線６〜８を介して送信する。ステップＳ２０８にて室内ユニットからの識別符号を受信するまで待機し、室内外接続線６〜８を介して受信回路２１にて識別符号を受信したらステップＳ２０９にて受信した識別符号の論理”１”の数をカウントする。カウントした論理”１”の数と、ステップＳ２０６にて設定した室内ユニット接続台数とをステップＳ２１０にて比較し、一致すれば、ステップＳ２１１にて識別番号の設定を行う。このとき、識別番号の設定は、例えば識別符号の若い順に設定する。ステップＳ２０６及びステップＳ２１１にて設定した室内ユニット接続台数，識別番号と、各室内ユニットから最後に受信した識別符号を、ステップＳ２１２にて各室内ユニット(A)２〜(C)４及び不図示の室内ユニットへ送信する。ステップＳ２１０にて論理”１”の数と室内ユニット接続台数とを比較した結果、一致しなかった場合は再度ステップ２０７の識別符号要求送信からやり直す。
【００７６】
図２８は室内ユニットにおける、識別符号設定手段と、識別符号送信手段と、送信識別符号記憶手段と、自ユニット識別番号設定手段の動作を示すフローチャートである。ステップＳ２２１，Ｓ２２２は識別符号設定手段、ステップＳ２２３，Ｓ２２４は識別符号送信手段、ステップＳ２２５は送信識別符号記憶手段、ステップＳ２２６〜Ｓ２２９は自ユニット識別番号設定手段の動作を示す。
図において、室内ユニット(A)２〜(C)４及び不図示の室内ユニットは、電源投入後、ステップＳ２２１にて受信回路３１により室外ユニット１からの識別符号要求を受信したら、ステップＳ２２２にて、送信する符号列の論理”１”の数が１となるように識別符号を設定する。識別符号の設定は、ステップＳ２２１にて室外ユニット１からの識別符号要求を受信する度に例えば乱数，マイコンのタイマカウント値からの演算等により任意に設定する。ステップＳ２２３にて、識別符号の送信タイミングとなるまで待機し、識別符号の送信タイミングとなったら、ステップＳ２２４にて識別符号を送信回路３２により室外ユニット１へ送信し、送信した識別符号をステップＳ２２５にて記憶してステップＳ２２１へ戻る。ステップＳ２２１にて室外ユニット１からの識別符号要求を受信せず、ステップＳ２２６にて、室外ユニット１からの接続台数，識別番号及び識別符号を受信したと判断するまでは、ステップＳ２２１〜Ｓ２２５を繰り返す。このとき、ステップＳ２２５にて記憶する識別符号は、ステップＳ２２４にて識別符号を送信する度に更新する。ステップＳ２２６にて、室外ユニット１から接続台数，識別符号及び識別符号を受信したと判断した場合は、ステップＳ２２７にて受信データを解析し、ステップＳ２２８にて受信したデータの識別符号が自ユニットが前回送信した識別符号（ステップＳ２２５にて記憶した識別符号）に一致したかを判断し、一致した場合に、ステップＳ２２９にて識別符号と同データにて室外ユニット１から受信した識別番号を自ユニットの識別番号に設定する。一致しなければステップＳ２２１へ戻る。
各室内ユニットは、室外ユニット１から送信された室内ユニット接続台数及び識別番号により、自ユニットの制御を行う。
【００７７】
図２９は、室外ユニット１に接続される室内ユニットが(A)２〜(C)４の３台の場合の動作を示すタイミングチャートである。
室外ユニット１は、識別符号要求信号（信号２０１）を送信回路２２により室内外接続線６〜８を介して送信する。（図２７ステップＳ２０１またはステップＳ２０７）室内ユニット(A)２〜(C)４は、識別符号設定手段（図２８ステップＳ２２２）により、送信する符号列の論理”１”の数が一定値１となるように識別符号を設定し、識別符号送信手段（図２８ステップＳ２２４）にて、全室内ユニットの送信開始タイミングが同時となるように、例えば図のように室外ユニット１が”識別符号要求”を送信後、一定時間ｔを経過時に、同時に識別符号をビット１から送信する。（信号２０２〜２０４）
室外ユニットは、室内外接続線６〜８を介して受信回路２１にて識別符号の論理和符号（信号２０５）を受信し、室内ユニット接続台数自動設定手段（図２７ステップＳ２０１〜Ｓ２０６）により、室内ユニットの接続台数を設定し、室内ユニット識別番号設定手段（図２７ステップＳ２０７〜Ｓ２１１）により、各室内ユニットの識別番号を設定する。
本実施形態では、室外ユニット１にて、図２７ステップＳ２０５にて論理”１”の数の最大値を算出したときの信号が図２９とすると、カウントした信号２０５の論理”１”の数が３である（ステップＳ２０５）ため、自ユニットに接続されている室内ユニットの接続台数を３に設定する（ステップＳ２０６）。室外ユニット１は接続台数設定後、図２７ステップＳ２０８にて再度図２９と同じ信号を受信したとすると、信号２０５の論理”１”のカウント数が３であり（ステップＳ２０９）、ステップＳ２０６で求めた室内ユニット接続台数３に一致するため（ステップＳ２１０）、ステップＳ２１１にて識別番号を設定する。例えば、送信した識別符号の論理”１”のビット位置番号が若いユニットから順に識別番号１，２，３と設定する。本実施例では、ビット番号３を論理”１”として識別符号・信号２０４を送信した室内ユニット(C)４の識別番号を１、ビット番号１１を論理”１”として識別符号・信号２０２を送信した室内ユニット(A)２の識別番号を２、ビット番号１２を論理”１”として識別符号・信号２０３を送信した室内ユニット(B)３の識別番号を３に設定する。
【００７８】
本実施形態では、室内ユニットが送信する符号列の論理”１”の数が１となるように識別符号を設定しているが、室外ユニットが接続台数を設定する際（図２７ステップＳ２０１〜Ｓ２０６）には、室内ユニットが送信する識別符号の論理”１”の数が一定値ｍ１（ｍ１≧２）となるように設定し、室外ユニットが識別番号を設定する際（図２７ステップＳ２０７〜Ｓ２１１）には本実施例のように、室内ユニットが送信する識別符号の論理”１”の数が１となるように設定すれば、室外ユニットが接続台数を設定する際の、識別符号の送受信回数ｎ１を大きくすることなく、室内ユニットの接続台数の誤設定の確率を下げることが可能であり、立ち上げ時間短縮が可能である。この場合は、室外ユニットにおいて、図２７ステップＳ２０５，Ｓ２０６の処理の間に図２４ステップＳ１０６と同じ処理が追加となる。また、室外ユニットが室内ユニット接続台数を設定する際と、室内ユニット識別番号を設定する際とで、室内ユニットの処理も異なり、複雑となる。
本実施例のように一定値ｍ１＝１とすれば、室外ユニットが室内ユニット接続台数を設定する際と、室内ユニット識別番号を設定する際とで、室内ユニットの処理が共通であり、簡略化できる。この場合、識別符号の送受信回数ｎ１を大きくすることで室内ユニットの接続台数の誤設定の確率を下げることが可能である。
【００７９】
ここで、論理”１”とは、空調機の実施形態に同様、複数の室内ユニットが論理”１”と論理”０”を同時に送信したとき、室外ユニット１が受信回路２１にて、論理”１”を受信するように設定された符号のことを意味する。
【００８０】
次に、他の実施例を図３０，図３１により説明する。本実施例では、他の実施形態同様、所定の論理符号を”１”とした場合について説明する
図３０は室外ユニットにおける、室内ユニット接続台数設定手段と、室内ユニット識別番号設定手段と、接続台数，識別番号及び識別符号送信手段と、室内ユニット識別番号重複検出手段の動作を示すフローチャートである。ステップＳ３０１は室内ユニット接続台数設定手段を、ステップＳ３０２は室内ユニット識別番号設定手段を、ステップＳ３０３は接続台数，識別番号及び識別符号送信手段を、ステップＳ３０４〜Ｓ３０８は、室内ユニット識別番号重複検出手段の動作を示す。
図において、室外ユニット１は電源投入後、ステップＳ３０１にて室内ユニットの接続台数を設定し、ステップＳ３０２にて、各室内ユニット（(A)２〜(C)４及び不図示の室内ユニット）の識別番号を設定する。ステップＳ３０１の詳細内容は、図２４ステップＳ１０１〜Ｓ１０７または図２７ステップＳ２０１〜Ｓ２０６に同じであり、ステップＳ３０２の詳細内容は、図２７ステップＳ２０７〜Ｓ２１１に同じである。ステップＳ３０２にて各室内ユニットの識別番号を設定後、ステップＳ３０３にて、室内ユニット接続台数，識別番号と、各室内ユニットから最後に受信した識別符号を、各室内ユニット(A)２〜(C)４及び不図示の室内ユニットへ送信する。接続台数及び識別番号送信後、ステップＳ３０４にて、識別番号１の室内ユニットに対して、重複検出符号要求を送信回路２２により室内外接続線６〜８を介して個別に送信する。ステップＳ３０５にて識別番号１の室内ユニットからの重複検出符号を受信するまで待機し、室内外接続線６〜８を介して受信回路２１にて重複検出符号を受信したらステップＳ３０６にて受信した重複検出符号の論理”１”の数をカウントし、ステップＳ３０７にて、論理”１”の数が一定数ｍ2を超えたと判断した場合は、ステップＳ３０１に戻り、接続台数の設定からやり直す。論理”１”の数が一定数ｍ2を超えない場合は、このステップＳ３０４〜ステップＳ３０７までを、ステップＳ３０８にて、重複検出符号を一定回数ｎ2回受信したと判断するまで繰り返し実施し、識別符号を一定回数ｎ2回受信したと判断したら、識別番号１の室内ユニットに対する重複検出処理を終了とする。このステップＳ３０４〜ステップＳ３０８を、識別番号１の室内ユニットから室内ユニットの接続台数分だけ繰り返す。ステップＳ３０４〜ステップＳ３０８を全ユニット終了したら、ステップＳ３０９にて、立ち上げ完了として通常の運転制御へ移行する。
【００８１】
図３１は室内ユニットにおける、識別符号設定手段と、識別符号送信手段と、送信識別符号記憶手段と、自ユニット識別番号設定手段と、重複検出符号設定手段の動作を示すフローチャートである。ステップＳ３２１，Ｓ３２２は識別符号設定手段を、ステップＳ３２３は識別符号送信手段を、ステップＳ３２４は送信識別符号記憶手段を、ステップＳ３２５〜Ｓ３２６は自ユニット識別番号設定手段を、ステップＳ３２７，Ｓ３２８は重複検出符号設定手段の動作を示す。
図において、室内ユニットは、電源投入後、ステップＳ３２１にて室外ユニット１からの識別符号要求を受信したら、ステップＳ３２２にて、識別符号を設定し、ステップＳ３２３にて、室外ユニット１へ識別符号を送信し、ステップＳ３２４にて、送信した識別符号を記憶してステップＳ３２１へ戻る。ステップＳ３２２の識別符号設定処理は、図２８ステップＳ２２２に、ステップＳ３２３の識別符号送信処理は、図２８ステップ２２３〜Ｓ２２４に、ステップＳ３２４の識別符号記憶処理は図２８ステップＳ２２５に同じである。ステップＳ３２１にて室外ユニット１からの識別符号要求を受信せず、ステップＳ３２５にて室外ユニット１からの接続台数，識別番号及び識別符号を受信した場合は、ステップＳ３２６にて、受信した識別番号に従い自ユニット識別番号を設定し、ステップＳ３２１へ戻る。ステップＳ３２６の自ユニット識別番号設定処理は、図２８ステップＳ２２７〜Ｓ２２９に同じである。ステップＳ３２５にて接続台数，識別番号及び識別符号を受信せず、ステップＳ３２７にて室外ユニット１からの重複検出符号要求を受信したら、ステップＳ３２８にて、重複検出符号を論理”１”の数が一定値ｍ2となるよう、例えば乱数，マイコンのタイマカウント値からの演算等により任意に設定し、ステップＳ３２９にて室外ユニット１へ送信し、ステップＳ３２１へ戻る。ステップＳ３２８の重複検出符号設定処理では、ステップＳ３２７で室外ユニット１からの重複検出符号要求を受信する度に重複検出符号を設定する。ステップＳ３２７にて重複検出符号要求を受信せず、ステップＳ３３０にて立ち上げ完了データを受信した場合は、ステップＳ３３１にて立ち上げ処理を完了し、通常の運転制御へ移行する。ステップＳ３３０で立ち上げ完了データを受信しなかった場合は、ステップＳ３２１へ戻る。立ち上げ完了データは、特別なデータである必要はなく、通常の運転制御データでもよい。
【００８２】
このように、室内ユニットがステップＳ３２８にて、重複検出符号を論理”１”の数が一定値ｍ2となるよう任意に設定して室外ユニット１へ送信するため、室内ユニット識別番号が重複設定されていなければ、室外ユニット１が受信する重複検出符号の論理”１”の数はｍ2となり、同じ識別番号に複数台の室内ユニットが重複設定されていれば、室外ユニット１が受信する重複検出符号の論理”１”の数はｍ2より多くなり、室外ユニットがステップＳ３０７にて、重複設定を検出することができる。
【００８３】
また、重複検出符号の論理”１”の数ｍ２を大きくすることで、全室内ユニットが乱数等により任意に設定する重複検出符号が重複する確率が下がり、室内ユニット識別番号の重複検出の確率を上げることが可能である。
ここで、論理”１”とは、請求項１及び請求項２記載のマルチ式空調機の実施例に同様、複数の室内ユニットが論理”１”と論理”０”を同時に送信したとき、室外ユニット１が受信回路２１にて、論理”１”を受信するように設定された符号のことを意味する。
【００８４】
次に、他の実施例を図３２，図３３により説明する。
図３２は、空調機の一実施例を用いる室外ユニットの制御装置を示す構成図であり、図において２１４は設定した室内ユニット接続台数を記憶する不揮発メモリである。
図３３は室外ユニットにおける、室内ユニット接続台数設定手段と、室内ユニット識別番号設定手段と、接続台数，識別番号及び識別符号送信手段と、室内ユニット識別番号重複検出手段の動作を示すフローチャートである。
図３３において室外ユニットは、電源投入後、ステップＳ４０１にて、不揮発メモリ２１４に室内ユニット接続台数を記憶していると判断した場合は、ステップＳ４０２の室内ユニット接続台数設定処理を実施せず、ステップＳ４０３の室内ユニット識別番号設定処理，ステップＳ４０４の接続台数，識別番号及び識別符号送信処理，ステップＳ４０５の室内ユニット識別番号重複検出処理を実施し、重複が検出されなければステップＳ４０６にて立ち上げ完了として通常運転制御へ移行する。重複を検出した場合はステップＳ４０２へ戻る。
ステップＳ４０１にて、不揮発メモリ２１４に室内ユニット接続台数を記憶していないと判断した場合は、ステップＳ４０２の室内ユニット接続台数設定処理〜ステップＳ４０５の室内ユニット識別番号重複検出処理まで実施し、ステップＳ４０６にて立ち上げ完了として通常運転制御へ移行する。
ステップＳ４０２の室内ユニット接続台数設定処理は図３０ステップＳ３０１に、ステップＳ４０３の室内ユニット識別番号設定処理は図３０ステップＳ３０２に、ステップＳ４０４の接続台数,識別番号及び識別符号送信処理は図３０ステップＳ３０３に、ステップＳ４０５の室内ユニット識別番号重複検出処理は、図３０ステップＳ３０４〜ステップＳ３０８に同じである。
【００８５】
次に、空調機において、一度接続台数を設定した室外ユニットで、接続される室内ユニットの数を変更して電源を再投入した場合の動作を説明する。
まず、不揮発メモリ２１４に記憶している室内ユニット接続台数より多く室内ユニットを接続した場合について説明する。室外ユニット１は、電源投入後、ステップＳ４０１にて、不揮発メモリ２１４に室内ユニット接続台数を記憶していると判断するため、ステップＳ４０２の室内ユニット接続台数設定処理を実施せず、ステップＳ４０３の室内ユニット識別番号設定処理を実施するが、室内ユニットの台数が多いため、記憶している室内ユニット接続台数より多い数の論理”１”を受信することになる。この場合は、受信した論理”１”の数を室内ユニット接続台数に設定し、ステップＳ４０３の室内ユニット識別番号設定処理をやり直した後、ステップＳ４０４の接続台数，識別番号及び識別符号送信処理，ステップＳ４０５の室内ユニット識別番号重複検出処理を実施し、重複が検出されなければステップＳ４０６にて立ち上げ完了として通常運転制御へ移行する。重複を検出した場合はステップＳ４０２へ戻る。
【００８６】
次に、不揮発メモリ２１４に記憶している室内ユニット接続台数より少なく室内ユニットを接続した場合について説明する。室外ユニット１は、電源投入後、ステップＳ４０１にて、不揮発メモリ２１４に室内ユニット接続台数を記憶していると判断するため、ステップＳ４０２の室内ユニット接続台数設定処理を実施せず、ステップＳ４０３の室内ユニット識別番号設定処理を実施するが、室内ユニットの台数が少ないため、記憶している室内ユニット接続台数より、少ない数の論理”１”を受信し続ける。この状態が、識別符号の送受信をｎ３回実施するまで続いた場合は、ステップＳ４０２の室内ユニット接続台数設定処理を実施し、ステップＳ４０３の室内ユニット識別番号設定処理をやり直した後、ステップＳ４０４の接続台数，識別番号及び識別符号送信処理，ステップＳ４０５の室内ユニット識別番号重複検出処理を実施し、重複が検出されなければステップＳ４０６にて立ち上げ完了として通常運転制御へ移行する。重複を検出した場合はステップＳ４０２へ戻る。
このように、一度据え付けたユニットに接続される室内ユニットの接続台数を変更した場合でも、室内ユニット接続台数を確実に設定することができる。
【００８７】
次に、他の実施例を図３４〜図３７により説明する。
図３４は空調機の一実施例を用いる室内ユニットの制御装置を示す構成図であり、図において２２４は設定した室内ユニット識別番号を記憶する不揮発メモリである。
図３５は室内ユニットにおける、識別符号設定手段と、識別符号送信手段と、送信識別符号記憶手段と、自ユニット識別番号設定手段と、重複検出符号設定手段の動作を示すフローチャートである。ステップＳ５０１〜Ｓ５０４は識別符号設定手段を、ステップＳ５０５,Ｓ５０６は識別符号送信手段を、ステップＳ５０７は送信識別符号記憶手段を、ステップＳ５０８，Ｓ５０９は自ユニット識別番号設定手段を、ステップＳ５１０，Ｓ５１１は重複検出符号設定手段の動作を示す。
図において室内ユニットは、電源投入後、ステップＳ５０１にて、室外ユニット１からの識別符号要求を受信したら、ステップＳ５０２にて不揮発メモリ２２４で自ユニットの識別番号を記憶していないと判断した場合、ステップＳ５０３にて識別符号を新規に作成し、ステップＳ５０４にて、送信する識別符号に設定する。ステップＳ５０２にて不揮発メモリ２２４で自ユニットの識別番号を記憶していると判断した場合、ステップＳ５０３の識別符号新規作成処理は実施せず、不揮発メモリ２２４にて記憶している識別番号に対して一義的に定まる識別符号をステップＳ５０４にて設定する。
例えば、記憶している識別番号が１の場合はビット位置１のみ論理”１”とし、識別番号２の場合はビット位置２のみ論理”１”・・・識別番号ｉの場合はビット位置ｉのみ論理”１”となるように識別符号を設定する。この場合、ステップＳ５０３における識別符号の新規作成処理では、ビット位置１〜ｉは論理”０”とし、ビット位置ｉ＋１以降が論理”１”となるように符号を作成する。
ステップＳ５０４にて識別符号を設定したら、ステップＳ５０５にて送信タイミングとなった場合に、ステップＳ５０６にて室外ユニット１へ識別符号を送信し、ステップＳ５０７にて送信した識別符号を記憶してステップＳ５０１へ戻る。
ステップＳ５０１にて、室外ユニット１からの識別符号要求を受信しなかった場合の処理（ステップＳ５０８〜Ｓ５１４）は図３１ステップＳ３２５〜Ｓ３３１に同じである。
【００８８】
このように、室内ユニットが不揮発メモリ２２４にて自ユニットの識別番号を記憶している場合に、記憶している識別番号に対して一義的に識別符号を定めて室外ユニットへ送信すれば、一旦電源を切って再投入した場合に、室外ユニットが再度室内ユニット識別番号の設定処理を行っても、各室内ユニットの識別番号が変更されることはない。
【００８９】
図３６は室外ユニット１に接続される室内ユニットが(A)２〜(C)４の３台の場合に、室内ユニットが不揮発メモリ２２４にて自ユニットの識別番号を記憶していない場合の動作を示すタイミングチャート，図３７は室内ユニットが不揮発メモリ２２４にて自ユニットの識別番号を記憶している場合の動作を示すタイミングチャートである。
例えば室内ユニットの最大接続台数を４台とすれば、不揮発メモリ２２４にて識別番号を記憶している場合の識別符号は、ビット位置１〜４を論理”１”とするため、不揮発メモリ２２４にて識別番号を記憶していない場合の識別符号は、ビット位置５以降を使用することになり、不揮発メモリ２２４にて識別番号を記憶していない据え付け時には図３６のような信号となる。
室外ユニット１が受信した信号５０５に基づき、ビット番号５を論理”１”として識別符号・信号５０４を送信した室内ユニット(C)４の識別番号を１、ビット番号７を論理”１”として識別符号・信号５０２を送信した室内ユニット(A)２の識別番号を２、ビット番号１０を論理”１”として識別符号・信号５０３を送信した室内ユニット(B)３の識別番号を３に設定した場合、
電源の再投入時の識別符号送受信は、図３７のようになり、室外ユニット１が受信した信号５１５に基づき、ビット番号１を論理”１”として識別符号・信号５２４を送信した室内ユニット(C)４の識別番号を１、ビット番号２を論理”１”として識別符号・信号５１２を送信した室内ユニット(A)２の識別番号を２、ビット番号３を論理”１”として識別符号・信号５１３を送信した室内ユニット(B)３の識別番号を３に設定するため、据え付け時の設定から変化することはない。
このため、例えば室内ユニットに異常が発生した際に、異常が発生したユニットの識別番号をリモコン等に表示させ、自己診断時に該当する室内ユニットのファンを制御したり、基板上のＬＥＤ等により各室内ユニットに設定されている識別番号を表示したりして、異常発生ユニットとそのユニットの識別番号，異常内容を報知するような場合にも、電源リセットする度に室内ユニットの識別番号が変化してしまい、サービス時に混乱を招くというようなことは発生しない。
【００９０】
本実施例を、室外ユニットに接続される室内ユニットの台数が既知の空調機に応用した場合について図３３にて説明する。
室内ユニットの台数が既知であるため、ステップＳ４０１にて、不揮発メモリ２１４に室内ユニット接続台数を記憶していると判断する場合に同じであり、ステップＳ４０２の室内ユニット接続台数設定処理を実施しない。
例えば、室内ユニットの台数が１台と定められている空調機に室内ユニットを誤って２台以上接続した場合、室外ユニット１は電源投入後、ステップＳ４０３の室内ユニット識別番号設定処理を実施するが、室内ユニット接続台数（１台）より多い数の論理”１”を受信することになる。この場合は、誤設定であるので、立ち上げ処理を終了し、誤設定であることをリモコン，基板上のＬＥＤ等の表示手段を用いて、報知する等により修正を促すことが可能となる。また、ステップＳ４０３の室内ユニット識別番号設定処理にて室内ユニット接続台数（１台）に同じ数の論理”１”を受信した場合は、ステップＳ４０３の室内ユニット識別番号設定処理，ステップＳ４０４の接続台数，識別番号及び識別符号送信処理，ステップＳ４０５の室内ユニット識別番号重複検出処理を実施し、重複が検出されなければステップＳ４０６にて立ち上げ完了として通常運転制御へ移行する。重複を検出した場合はステップＳ４０２へ戻る。
室内ユニット接続台数の既知数が１以外の場合、ステップＳ４０３の室内ユニット識別番号設定処理にて、室内ユニット接続台数より多い数の論理”１”または室内ユニット接続台数より少ない数の論理”１”を受信した際には、誤設定であるので、立ち上げ処理を終了し、誤設定であることをリモコン，基板上のＬＥＤ等の表示手段を用いて、報知して修正を促すこと等が可能となる。
ここで、室外ユニットが記憶する室内ユニット接続台数は、あらかじめ、プログラムしておくか、あらかじめ不揮発メモリに記憶する。または、スイッチ等により設定してもよい。
このように、室内ユニットの台数が既知の空調機に応用した場合には、立ち上げ時間が短く、かつ接続される室内ユニットの数を誤った場合に、確実に検出でき、表示手段等で報知するなどにより、サービス性が向上する。
【００９１】
また、室内ユニットの台数が未知の場合でも、最大接続台数が決まっている場合には、最大接続台数を超えて室内ユニットを接続した場合には、同様に誤接続を検出して表示手段等で報知するなどが可能であり、サービス性を向上させることができる。
【００９２】
【発明の効果】
以上説明したとおり、第１の発明に係わる空調機は、異なった種類の機能を有する多くの室内ユニットを使用しても同一指令に基づくマルチ運転が可能となり、使い勝手がよくバラエティに富む空調機のシステムを提供できる。
【図面の簡単な説明】
【図１】  発明の実施の形態１〜５記載によるマルチ式空調機の全体構成ブロック図である。
【図２】  図１の室外ユニットの制御部を示すブロック図である。
【図３】  図１の室内ユニットの制御部を示すブロック図である。
【図４】  図１のワイヤードタイプの手元リモコンの制御部を示すブロック図である。
【図５】  図１の室内ユニット動作を示すフローチャートである。
【図６】  図１の室外ユニット動作を示すフローチャートである。
【図７】  本発明の他のマルチ式空調機の全体構成ブロック図である。
【図８】  図７の室外ユニットの制御部を示すブロック図である。
【図９】  本発明のマルチ式空調機の室外ユニットの制御部を示すブロック図である。
【図１０】  本発明のマルチ式空調機のワイヤードタイプの手元リモコンの制御部を示すブロック図である。
【図１１】  本発明の空調機の室外と室内ユニットの制御装置を示すブロック図である。
【図１２】  図１１に示す制御装置の動作を示すフローチャートである
【図１３】  本発明の空調機の室内ユニットの制御装置を示すブロック図である。
【図１４】  図１３に対応した室外ユニットの制御装置を示すブロック図である。
【図１５】  図１３に対応したリモコンの制御装置を示す構成ブロック図である。
【図１６】  図１３に対応した室内ユニットの制御装置の動作を示すフローチャートである。
【図１７】  図１３に対応した室外ユニットの制御装置の動作を示すフローチャートである。
【図１８】  本発明のリモコン制御部を示すブロック図である。
【図１９】  図１８のリモコンの実体形状を模した外形図である。
【図２０】  本発明の室内ユニットの制御装置を示す構成ブロック図である。
【図２１】  図２０の室内ユニットの制御装置の動作を示すフローチャートである。
【図２２】  本発明の空調機の制御装置の構成ブロック図である。
【図２３】  図２２に示す室内、室外ユニットの制御装置間での通常通信動作を示すタイミングチャートである。
【図２４】  本発明の空調機の室外ユニットにおける、室内ユニット接続台数設定手段の動作を示すフローチャートである。
【図２５】  本発明の空調機の室内ユニットにおける、識別符号設定手段と、識別符号送信手段の動作を示すフローチャートである。
【図２６】  本発明の空調機の室外ユニット，室内ユニットの動作を示すタイミングチャートである。
【図２７】  本発明の空調機の室外ユニットにおける動作を示すフローチャートである。
【図２８】  本発明の空調機の室外ユニットにおける動作を示すフローチャートである。
【図２９】  空調機の室外ユニット，室内ユニットの動作を示すタイミングチャートである。
【図３０】  本発明の空調機の室外ユニットにおける動作を示すフローチャートである。
【図３１】  本発明の空調機の室内ユニットにおける動作を示すフローチャートである。
【図３２】  本発明の空調機の室外ユニットの制御装置を示す構成ブロック図である。
【図３３】  本発明の空調機の室外ユニットにおける動作を示すフローチャートである。
【図３４】  本発明の空調機の室内ユニットの制御装置を示す構成ブロック図である。
【図３５】  本発明の空調機の室内ユニットにおける動作を示すフローチャートである。
【図３６】  本発明の空調機の室外ユニット，室内ユニットの動作を示すタイミングチャートである。
【図３７】  本発明の空調機の室外ユニット，室内ユニットの動作を示すタイミングチャートである。
【図３８】  従来の運転マルチ式空調機のシステム図である。
【図３９】  従来の空気調和機の集中制御システムを示す構成図である。
【符号の説明】
１  室外ユニット、２  室内ユニット(A)、３  室内ユニット(B)、４  室内ユニット(C)、  ５  手元リモコン、６  室外ユニットと室内ユニット(A)間の伝送線、７  室外ユニットと室内ユニット(B)間の伝送線、８  室外ユニットと室内ユニット(C)間の伝送線、９  手元リモコンと室内ユニット(A)間の伝送線、１０ワイヤレスタイプの手元リモコン、１１  伝送変換装置、１２  室外ユニット、１３，１４  室内ユニット、１５  手元リモコン、１６  空調管理装置、２０室外ユニットの制御部、２１  室内外通信受信手段、２２  室内外通信送信手段、２３  空調ユニット運転設定手段、２４  室外ユニット処理部、３０  室内ユニットの制御部、３１  室内外通信受信手段、３２  室内外通信送信手段、３３  リモコン通信受信手段、３４  リモコン通信送信手段、３５  運転設定手段、３６  室内ユニット処理部、３７  ワイヤレス信号受信手段、４０  手元リモコンの制御部、４１  リモコン通信受信手段、４２  リモコン通信送信手段、４３  手元リモコン処理部、７１  リモコン機能設定手段、８１  機能設定手段、３１１  ユニット制御部、３１２  自ユニット機種設定手段（室外ユニット）、３１３  自ユニット機種記憶手段、３１４  全機種機能記憶手段、３１５  自ユニット機種設定手段、１２１  室内ユニット制御部、１２２  自ユニット機種設定手段、１２３  自ユニット機種記憶手段、１２４  全機種機能初期値記憶手段、１２５  自ユニット機能設定手段、１２６  自ユニット機能記憶手段、１２７リモコン通信手段、１２８  室内外通信手段、１３１  室外ユニット制御部、１３２  自ユニット機種設定手段、１３３  自ユニット機種記憶手段、１３４  全機種機能初期値記憶手段、１３５  全機種機能初期値記憶手段、１４１  リモコン制御部、１４２  リモコン通信手段、１４３  ユニット機能表示手段、１４４  ユニット機能設定変更手段、２１３  通信回路（室外ユニット）、２１４  不揮発メモリ（室外ユニット）、２２３  通信回路（室内ユニット）、２２４  不揮発メモリ（室内ユニット）。
【図１】
0003675424.tif 000002
【図２】
0003675424.tif 000003
【図３】
0003675424.tif 000004
【図４】
0003675424.tif 000005
【図５】
0003675424.tif 000006
【図６】
0003675424.tif 000007
【図７】
0003675424.tif 000008
【図８】
0003675424.tif 000009
【図９】
0003675424.tif 000010
【図１０】
0003675424.tif 000011
【図１１】
0003675424.tif 000012
【図１２】
0003675424.tif 000013
【図１３】
0003675424.tif 000014
【図１４】
0003675424.tif 000015
【図１５】
0003675424.tif 000016
【図１６】
0003675424.tif 000017
【図１７】
0003675424.tif 000018
【図１８】
0003675424.tif 000019
【図１９】
0003675424.tif 000020
【図２０】
0003675424.tif 000021
【図２１】
0003675424.tif 000022
【図２２】
0003675424.tif 000023
【図２３】
0003675424.tif 000024
【図２４】
0003675424.tif 000025
【図２５】
0003675424.tif 000026
【図２６】
0003675424.tif 000027
【図２７】
0003675424.tif 000028
【図２８】
0003675424.tif 000029
【図２９】
0003675424.tif 000030
【図３０】
0003675424.tif 000031
【図３１】
0003675424.tif 000032
【図３２】
0003675424.tif 000033
【図３３】
0003675424.tif 000034
【図３４】
0003675424.tif 000035
【図３５】
0003675424.tif 000036
【図３６】
0003675424.tif 000037
【図３７】
0003675424.tif 000038
【図３８】
0003675424.tif 000039
【図３９】
0003675424.tif 000040